(57)【要約】【課題】  在来の額縁は、図版などの平面物体を内容物として、額縁に収蔵展示していました。しかし、収蔵展示したいものが立体である場合は、在来の額縁では、収蔵展示したい物体を保護する為の透明保護板が平面のため、立体物が、額縁内部に収容不可能でした。【解決手段】  在来の額縁の、展示内容物保護の為に、平面で透明保護板材を使用しないで、その透明部品を、透明の立体とした薄肉の透明材で形成して、その内部の空間に、収蔵展示したい立体物を収蔵展示し、その保持も、その立体物にふさわしい適当な姿勢や方法で、保持でき、その展示は、テーブルや棚などに、水平に展示でき、壁掛けなどの垂直展示まで対応し、また、同一寸法の、多数の額縁のおいては、整然と、確実に、スタックして、保管整理できる、立体物展示用の額縁を提供します。【選択図】図３
2012024533.tif 000002
【特許請求の範囲】
【請求項１】
立体物を収蔵、展示し、しかも額装できる額縁において、在来の、図版などの平面物を収蔵展示する額縁の、その平面物を保護する透明部品を、立体の成形部品とし、かつ、その複数で、多数の額縁を積み重ねて（スタックして）、収納、保管、整理を簡便にするように構成した事を特徴とする立体物収蔵、展示用の額装額縁。
【請求項２】
立体物展示のための展示ケースとなる、透明保護部品と、その明保護部品に、額縁部、バックボードの取り付け保持部や、壁掛け用の保持部等を一体化成形した事を特徴とする立体物収蔵、展示用の額装額縁
【請求項３】
複数の磁石を、立体物展示のための、展示ケースとなる、透明保護部品の適当な部分と、バックボード、スペーサーなどの適当な部分と、展示収蔵する立体物の内部の適当な部分に設置し、それぞれの磁石の吸引力と反発力を利用して、展示収蔵された立体物を、立体物展示のための展示ケースとなる透明保護部品、バックボード、あるいはスペーサーで形成される空間内の適当な位置に、適当な姿勢で浮かせ、そして、その浮かせた位置から、容易に移動しないように、磁石力で、中空固定をするように形成した事を特徴とする特許請求項１及び２の立体物収蔵、展示用の額装額縁。
【発明の詳細な説明】
【技術分野】
【０００１】  本件発明は、飛行機や自動車、艦船などの縮尺模型や、小型の商品、例えば、クラシックカメラ、宝飾品等や、あるいは、美術品であり、その収集家のためのコレクターズアイテムの展示と、収納に関します。
【背景技術】
【０００２】  従来の額縁は、平面的な絵画や版画などの美術品や、あるいは図版などの平面物を、額縁内部に収蔵して、その内容物への、額縁外部正面からの毀損や、外気温、湿度などの影響を避けるために、額縁内部の収蔵品の前面に、平面の、透明なガラス材料や、透明なプラスチック材料を設置して構成しています。【０００３】  従来の額縁の構成では、額縁内部へ収蔵する物品が立体物である場合は、額縁正面に平板のガラス材やプラスチック材があるため、そのまま収蔵できませんでした。そのため、額縁を使用しての額装を断念して、立体物の外形寸法に合わせた、展示ケースを使用して、ケース内部へ収蔵する方法が採用されてきました。【０００４】  展示ケースへ収蔵した時は、棚やテーブルなどの平面部に展示ケースが、水平に置かれる。額装のように壁面にかける、取り付ける、ということは、通常は不可能であったか、使用者の考慮外でありました。例えば、人形のガラスケース等が例としてあげられます。しかし、その展示ケースの使用者が、工夫や工作で、壁面にかけるということをするという場合も稀にあります。また、額縁の、透明な平面板を、設置しないで、展示したい立体物を、額縁正面の外側に直接、額縁を構成する外周部の周囲の枠の先端の平面から、突出させて、外気に直接晒すという方法を採用する事で可能となります。この方法では、額縁を壁面に設置する事ができます。しかし、額縁に収蔵される展示物は、外気の温度、湿度や、設置場所によりますが、太陽光の影響等を直接受けることになります。展示する立体物の材質によっては、経年変化や経年劣化が発生します。特に色彩や、光沢などの、収蔵展示物の変化が起こります。展示物の劣化は所有者や収集家には好ましくありません。また、劣化がひどいときには、展示物の形態までもが毀損するという事態になります。外気に直接触れますから、展示物に塵埃なども、たまり、また、付着しやすく、定期的にも、不定期にも、その清掃、手入れという面倒な作業を必要とします。手入作業中に展示物を破損するということも、起こり得ます。ことに展示物が複雑な形状の場合は、その清掃、手入れは、作業としては困難で、完全に、付着した塵埃を除去することは、ますます、困難になります。
【特許文献】実用新案公開平６−７７６２６、実用新案公開平６−６２８６６
【発明の開示】
【発明が解決しようとする課題】
【０００５】  従来の額縁と、それを利用する額装は、平面的な展示物である絵画や、版画、そして図版などには、それらを額縁内に収蔵して額装し、壁面に展示することは容易でした。しかしながら、立体物の展示品を収蔵するときは、前記の［０００４］で説明したように、欠点があります。また、展示物が多数であるような、収集家のコレクターズアイテム、たとえば、飛行機や自動車、艦船などの縮尺模型などは、額装して壁面に設置しても、すべてを設置することは不可能で、収集された展示物群の１部を整然と、整理された方法で、収納保存できる必要が求められていました。【０００６】  本件発明は、展示物の立体物を収蔵する額縁とその額装の便利な方法手段と、収集家のように、収集品が多数で、そのため、その展示物が多数になる時と、展示しない時との、収納保存の簡便性、安全性、収納性を重視した手段を持った収納額縁を提供します。
【課題を解決するための手段】
【０００７】  上記の課題を達成するため、原理的な、額縁の構成を説明します。在来の額縁は、額縁の枠体１と、展示、収蔵する内容物を保護し、鑑賞する事ができるための、ガラス、あるいはプラスチックなどの透明材料で成形された薄い平面な透明保護板２と、絵画、版画や図版などの額縁内収蔵物３と、必要ならば、収蔵物をさらに保護する緩衝材の役目と収蔵物が動かないように隙間を埋め、固定する役目を持つスペーサー４、そして、額縁の枠体１の後ろからそれら内容物を押さえる板、バックボード５で主に構成されています。さらに、図５に示してある金具１１などの止金具を使用することで、バックボード５を固定し、内容物の脱落を防ぎます。図１、図２、図３、図４では金具１１は省略しています。【０００８】  本件発明は、前述の図１のような平面の透明保護板２のかわりに、図４のように、額縁の内部に展示、収蔵する立体的な物品が、おさまる高さにあわせた、ガラス、あるいはプラスチックなどの透明材料で成形された立体形状の透明保護部品７で構成します。この立体形状の透明保護部品７は、成形方法によって、抜きテーパーが必要とする為、適当な抜き勾配を設ける事が望ましい。また、この透明の成形物の形状は直方体や立方体に限らず、展示収蔵する物品にあわせて、半球状や、その他の寸法や、展示物の形態と同一の形態とすることもできます。【０００９】  額縁の本体である枠体は、通常、その断面は、Ｌ字型となっています。この発明では、在来の額縁と同じように、その断面はＬ字型で構成します。枠体に、立体の透明の成形部品が額装の額の内側の、Ｌ字型の部分に、嵌まり込みます。その額は、在来の額と同様ではあるのですが、その額を壁面だけに設置するだけではなく、テーブルや棚に水平に、安定して置けるように、その額の枠の裏面部には、額の枠の裏面平面から、突起して、テーブルや棚に衝突接触するような、壁掛け用の金具部品などは設置しません。図５がその状態を表わしています。壁に設置するためには、たとえば、額縁の枠内の凹部に設置して、壁掛け用の金具部品を、額縁の枠内の凹部に設置します。（図５）。別案として、バックボードに金具部品を設置する方法もあります。このバックボードに設置した壁掛け金具も、額の枠の裏面平面以上に裏面後方に突起させないで、テーブルや、棚に接触させません。
以上のように、額縁を構成すると、額縁は、壁にも架けられ、また、テーブルや棚に、安定して水平に設置できます。【００１０】  図６に示したように、この立体の額縁は、前述したように底部に突起を持たない構成のため、積み重ねる（スタックする）ことができます。スタックができるため、多数個の額縁を整然と整理、保管できる利点があります。また、スタックしたときにも、展示内容物の１部が見えるため、内容物の確認が容易で、多数の収集物から、特定の収集物を捜し出すことも容易であるという利点もあります。【００１１】  また、スタックする場合、通常は、水平位置での、積み重ね、つまり、スタックですが、スタック連結して、本棚などに、書籍のように、垂直に保管することもできます。これもこの額縁の利点となります。【００１２】  この立体的な額縁に、展示、収蔵する物品は、原則的には立体です。特に展示物品が飛行機や艦船船舶等のモデルに於いては、該当展示物品の動態状態（例えば、飛行機のモデルの場合は、その飛行状態を表わすため、艦船船舶モデルなどは、水面の船形など）を展示したいことも多くあります。そのため、図６のように、それらのモデルの展示効果を高めるために、設置する台板１４から、距離をおき浮かして展示する必要もある場合もあります。その為に、展示モデルが適当な高さで浮いて見えるように台板１４に、保持具１８のような、展示モデルの一部分と結合する突起物を設置する方法があります。また、図７に示してあるように一体で成形された保持具２２のように、台板１４と保持具１８を一体で成形する方法もあります。その場合はコスト削減という利点も生まれます。【００１３】前述の保持方法では、飛行機等のモデルの観察、鑑賞するために、視覚上死角が生じます。コストを惜しまなければ、この保持具を廃止し、台板と、飛行機モデルの内部、そして、透明保護部品の展示ケースの一部に、ネオジウム磁石などの強力な磁石を内蔵し、それらの磁石を適宜配置して、磁石の、同極どうしの反発力と、異極どうしの吸引力をバランスさせて、その飛行機のモデルを、展示ケース部品内の空中に浮かせてしまうという方法も採用ができます。【００１４】  次に図７の説明をします。透明の展示ケース部品と、額縁とを透明プラスチックで一体成形し、額縁部分は、一体成形時に、フィルムインモールドや、２色成形で、不透明とし、着彩や、模様図案を配置するという生産方法を採用します。また、透明材料で、すべてを成形後、額縁枠体部分に、表面や裏面から塗装、あるいは印刷して額縁部を形成することもできます。また、一体成形時に、額縁となる成形型の一部の内側に、低い高さの突起部を一体成形し、この突起部を、バックボードの固定や、壁掛け用に利用して、在来のバックボー止め金具や、壁掛け用金具を廃止することもできます。この様な構成にする事で、この立体額縁の生産コストを削減するという利点があります。
【実施例】
【００１５】  具体的には、飛行機モデルのコレクターの展示、モデルの収蔵、そして保管の額装展示ケースとします。飛行機や飛行機モデルの重要な、その飛行機の設計的、性能的な特徴を表わす視点位置は、飛行機の上面、側面、そして正面です。この立体額縁では、その重要面を、テーブルとか棚などに置いて、あるいは、壁など、垂直に設置しても、その展示状態は、飛行機モデルマニアにとって、好ましいものになります。また、磁石バランスで、透明の立体ケース内に、保持具なしで、浮かせると、そのモデルとした飛行機の飛行状態が再現でき、理想的な展示手法となります。スタックして保管状態にしても、その飛行機モデルの、一部が明瞭に見分けられることになり、展示したいモデルを捜し出すのも容易です。
【図面の簡単な説明】
【００１６】
【図１】  在来の、平面的な図版などを収蔵、展示する額縁の、一般的な構成図
【図２】  図１の組立状態を示す断面図
【図３】  図１の分解状態を示す断面図
【図４】  立体物を内部に収蔵する額縁の基本構成図
【図５】  図４の断面図
【図６】  飛行機モデルを収蔵展示する立体物用額縁で、額縁どうしを積み重ねる（スタックする）ことができる状態を示した図
【図７】  透明の立体物収蔵、展示する部分と周囲の額縁とを一体化し、さらに在来のバックボード止め金具や、壁掛け金具も、一体成形した立体物用の額縁の構成図。
【符号の説明】
【００１７】  １    額縁の枠体
２    透明保護板
３    額縁内収蔵物
４    スペーサー
５    バックボード
６    額縁の枠体
７    立体形状の透明保護部品
８    立体の収蔵、展示品
９    スペーサー
１０    バックボード
１１    金具
１２    額縁の枠体
１３    立体物を、展示、収蔵するための、立体形状の透明保護部品の展示ケース部品
１４    台板
１５    スペーサー
１６    バックボード
１７    バックボード止金具、壁掛け用金具など
１８    立体収蔵展示物の保持具
１９    立体収蔵、展示品（例として、飛行機モデル）
２０    立体物を、展示、収蔵するための、立体形状の透明保護部品の展示ケース部品
２１    一体で成形された保持具
２２    スペーサー
２３    バックボード
２４    展示ケースと一体の、額縁部分、バックボード止め金具、壁掛け金具など
【図１】
2012024533.tif 000003
【図２】
2012024533.tif 000004
【図３】
2012024533.tif 000005
【図４】
2012024533.tif 000006
【図５】
2012024533.tif 000007
【図６】
2012024533.tif 000008
【図７】
2012024533.tif 000009